(57)【要約】【課題】  予期しない高温度環境に温水パイプユニット１Ａがさらされたときにも、温水パイプ２０の伸びを上部カバー３０のパイプ収容溝３１内に押さえ得るようにし、それにより、粘着積層部Ｗ１の破壊や温水パイプ２０の飛び出しが起こらないようにする。【解決手段】  基材シート１０と上部カバー３０との間に温水パイプ２０を収容した形態の温水式床暖房フロア用の温水パイプユニット１Ａにおいて、基材シート１０と上部カバー３０と温水パイプ２０のＵターン部２２とを一体化してＵターン部２２の外側への移動を阻止する手段を設ける。阻止手段は、例えばクリップ４０のような手段であってよい。【選択図】  図１
2005188890.tif 000002
【特許請求の範囲】
【請求項１】
連通する温水パイプが複数列の直線状部とその両端側のＵターン部とを有するパイプパターンで基材シートの上面に保持されており、かつパイプ収容溝を備えた上部カバーがパイプ収容溝に温水パイプを収容した状態で少なくともその４周囲を基材シートに粘着積層することにより一体化されている温水式床暖房フロア用の温水パイプユニットであって、温水パイプのＵターン部には、Ｕターン部がＵターン部側の側辺に向けて移動するのを阻止するための阻止手段が設けられていることを特徴とする温水パイプユニット。
【請求項２】
阻止手段が、上部カバーの上から温水パイプのＵターン部の一部または全部を上部カバーと共に挟み込むようにした１個または複数個のクリップであることを特徴とする請求項１に記載の温水パイプユニット。
【請求項３】
阻止手段が、Ｕターン部の外側に沿うようにして基材シートと上部カバーとの間に配置された横長の板状部材であることを特徴とする請求項１に記載の温水パイプユニット。
【請求項４】
阻止手段が、Ｕターン部の外側に沿うようにして上部カバーの上面に粘着固定された横長の板状部材であることを特徴とする請求項１に記載の温水パイプユニット。
【請求項５】
阻止手段が、Ｕターン部の少なくとも外側に沿うようにして形成された基材シートと上部カバーとの接合領域であることを特徴とする請求項１に記載の温水パイプユニット。
【発明の詳細な説明】
【技術分野】
【０００１】
本発明は、温水式床暖房フロアを施工する際に使用する温水パイプユニットに関する。
【背景技術】
【０００２】
床下地の上に配設された温水パイプに温水を通すことによって暖房を行う温水式の床暖房フロアは知られている。施工の容易さから、所定のパターンに折り曲げた温水パイプを矩形状の基材シートの上に配置した後、全体を上部カバーで覆うことにより形成した温水パイプユニットを床下地面に敷き詰め、その上に、裏面に温水パイプのパターンに沿った凹溝を形成した木質系床材を敷設するようにした、半分離タイプの床暖房施工方法が多く採用されている（特許文献１：特開２００３−２１３４５号公報など参照）。基材シートには表面に均熱板としてアルミ箔を積層した樹脂シートが多く用いられ、上部カバーには樹脂材料を真空成形したものが多く用いられる。また、温水パイプには、通常、架橋ポリエチレンタイプの合成樹脂のような材料が用いられる。
【０００３】
図５はそのような施工方法で用いられる温水パイプユニット１の一例を示し、図６は図５でのＸ−Ｘ線での断面領域を分解して示している。また、図７は図５での領域Ｓの部分を拡大して示している。基材シート１０は平面視矩形状であり、その上に、複数列の直線状部２１とその両端側のＵターン部２２とを有するパイプパターンとされた長尺の温水パイプ２０がほぼ全面にわたって配置される。この温水パイプ２０を覆うように、基材シート１０と同じ大きさでありかつパイプ収容溝３１を備えた上部カバー３０が、パイプ収容溝３１に温水パイプ２０を収容した状態で載置され、基材シート１０と上部カバー３０の少なくとも４周囲の部分が適宜の粘着剤を用いて粘着積層されることにより、全体が一体化されている。
【０００４】
このような温水パイプユニット１の複数枚が床下地上に配置され、床暖房として必要な所要面積の熱源部分が形成されるが、複数枚の温水パイプユニット１を縦方向および横方向に敷き詰めるときに、接合目地部で重なり部が生じないように、基材シート１０と上部カバー３０の４周囲における粘着積層部の幅は比較的狭くされている。
【特許文献１】特開２００３−２１３４５号公報
【発明の開示】
【発明が解決しようとする課題】
【０００５】
工場で製造された温水パイプユニット１は、一旦は倉庫などに保管され、市場の要請に応じて、施工店主側へ引き渡されあるいは各施工現場へ搬入される。そのような保管の過程であるいは輸送中などに、温水パイプユニットが予期しない高温環境（例えば、４０℃以上）にさらされることは十分に予測される。一方、温水パイプは前記のように架橋ポリエチレンタイプの合成樹脂のような材料で作られており、その線方向の熱膨張率は基材シート１０や上部カバー３０よりも大きい。
【０００６】
そのために、温水パイプユニット１が予期しない高温環境にさらされ、中に収容した温水パイプ２０が熱膨張を受けると、その膨張は主に長手方向の延伸として現れ、図８に示すように、温水パイプ２０のＵターン部２２が、温水パイプユニット１のＵターン部２２に沿う両側１１の領域で、上部カバー３０のパイプ収容溝３１の端部３２に衝突することが起こる。そして、さらに温水パイプ２０の直線状部２１伸びが大きくなると、衝接部近傍での基材シート１０と上部カバー３０の粘着積層部Ｗ１の粘着力が温水パイプ２０の伸張力に負けてしまい、粘着積層部Ｗ１が破壊される場合がある。極端な場合には、図８示すように、温水パイプ２０のＵターン部２２が粘着積層部Ｗ１の外側にまで飛び出してしまうことも起こり得る。
【０００７】
このような粘着積層部に破壊や温水パイプの飛び出しが生じた温水パイプユニットは、市場に供することができないので、高い製品歩留まり率を確保するために、保管時や輸送時の温度管理に十分な注意を払う必要がある。４０℃のような高温で粘着力が大きい粘着剤を用いて粘着積層部の粘着力を向上させ、温水パイプの伸びを押さえ付けることが一応は可能であるが、高温での粘着力が大きい粘着剤は、冬場の保管時のような低温時での粘着力が低下してしまうので、有効な解決策とはならない。
【０００８】
本発明は、上記のような事情に鑑みてなされたものであり、低温時での十分な粘着力を維持しながら、予期しない高温度環境に温水パイプユニットがさらされたときにも、温水パイプの伸びを上部カバーのパイプ収容溝内に押さえ得るようにし、それにより、粘着積層部の破壊や温水パイプの飛び出しが起こらないようにした、より改良された温水パイプユニットを提供することを目的とする。
【課題を解決するための手段】
【０００９】
上記の課題を解決するための本発明による温水パイプユニットは、連通する温水パイプが複数列の直線状部とその両端側のＵターン部とを有するパイプパターンで基材シートの上面に保持されており、かつパイプ収容溝を備えた上部カバーがパイプ収容溝に温水パイプを収容した状態で少なくともその４周囲を基材シートに粘着積層することにより一体化されている温水式床暖房フロア用の温水パイプユニットであって、温水パイプのＵターン部には、Ｕターン部がＵターン部側の側辺に向けて移動するのを阻止するための阻止手段が設けられていることを特徴とする。
【００１０】
上記の温水パイプユニットでは、温水パイプユニットが予期しない高温環境にさらされ、中に収容した温水パイプが長手方向に伸びようとしても、長手方向の両端に位置するＵターン部は、Ｕターン部に沿うようにして設けられた延伸阻止手段により押さえ付けられているので、Ｕターン部の側辺に向けての移動は抑制され、熱膨張による伸びは直線状部のわずかな横変位として吸収される。それにより、Ｕターン部側の粘着積層部の破壊やＵターン部が外への飛び出るのは効果的に阻止される。また、直線状部の横変位はわずかであり、上部カバーのパイプ収容溝を破損することはない。
【００１１】
前記阻止手段に特に制限はなく、温水パイプが熱膨張によってＵターン部側の粘着積層部へ移動する挙動を阻止できるものであれば任意である。例えば、阻止手段は、上部カバーの上から温水パイプのＵターン部の一部または全部を上部カバーと共に挟み込むようにした１個または複数個のクリップであってもよい。この場合には、対向して位置するＵターン部間に位置する上部カバーおよび基材シートが、熱膨張による直線状部の延伸によってＵターン部が外側に向けて移動しようとする挙動を効果的に抑制するとともに、Ｕターン部が外側に向けて移動するとしても、その移動は上部カバーおよび基材シートの移動を伴うこととなるので、Ｕターン部側の粘着積層部が破壊されることは起こらない。
【００１２】
阻止手段は、温水パイプのＵターン部の外側に沿うようにして基材シートと上部カバーとの間に配置した横長の板状部材であってもよい。また、Ｕターン部の外側に沿うようにして上部カバーの上面に粘着固定した横長の板状部材であってもよい。このような横長の板状部材を設けることにより、上記したクリップを用いた場合と同様の作用効果が奏されることは説明を要しない。
【００１３】
さらに、基材シートと上部カバーとの４周囲を粘着積層することに加え、温水パイプのＵターン部の少なくとも外側に沿うようにして粘着剤を塗布して、基材シートと上部カバーとの間にＵターン部に沿う形状の接合領域を形成し、それを本発明による阻止手段とすることもできる。このような接合領域が存在することにより、対向して位置するＵターン部間に位置する上部カバーおよび基材シート部分がＵターン部の外側に向けて移動に対する抵抗となること、Ｕターン部が外側に向けて移動する場合でも、その移動は上部カバーおよび基材シートの移動を伴うこと、から、Ｕターン部側の粘着積層部が破壊されることは起こらない。
【発明の効果】
【００１４】
本発明による温水パイプユニットは、低温時での十分な安定性を維持しながら、保管時や輸送時に予期しない高温度環境にさらされたときの温水パイプの伸びに対しても十分な安定性を持つ。それにより、粘着積層部の破壊や温水パイプの飛び出しは抑制され、製品歩留まり率を高くすることができる。
【発明を実施するための最良の形態】
【００１５】
以下、実施の形態に基づき本発明を説明する。図１は本発明による温水パイプユニットの一例を説明する図であり、図１ａはその一部を示す平面図、図１ｂは図１ａのＸ−Ｘ線に沿う断面図、図１ｃはそこで使用するクリップを示す図である。図２〜図４は本発明による温水パイプユニットの他の形態を説明するための部分図である。なお、本発明による温水パイプユニット１Ａは、温水パイプ２０のＵターン部２２がＵターン部側の側辺１１に向けて移動するのを阻止するための「阻止手段」が設けられていることを除いて、図５に基づき一例を説明した従来知られた温水パイプユニット１と同様であってよい。従って、同じ部材には同じ符号を付し、詳細な説明は省略する。
【００１６】
すなわち、図１に示す温水パイプユニット１Ａにおいては、上記「阻止手段」として、温水パイプ２０のＵターン部２２に所要個数のクリップ４０が取り付けられている点でのみ、図５に示した温水パイプユニット１と相違している。クリップ４０は全体がバネ鋼で形成されており、図１ｃに示すように、平坦な脚部４１と嵌合凹部４２とを有する。
【００１７】
クリップ４０を、上部カバー３０のパイプ収容溝３１の上から、嵌合凹部４２の開口部を押し開くようにして押し込むことにより、温水パイプ２０のＵターン部２２近傍は上部カバー３０のパイプ収容溝３１と一体化する。クリップ４０の使用個数は任意であるが、パイプ収容溝３１の端部３２により多く取り付けることは望ましい。
【００１８】
このようにしてクリップ４０を取り付けることにより、対向して位置するＵターン部２２、２２間に位置する上部カバー３０および基材シート１０は、熱膨張による温水パイプ２０の直線状部２１の延伸によってＵターン部２２が外側に向けて移動しようとする挙動に対して効果的に抵抗として作用する。それにより、Ｕターン部２２の外側に向けての移動は確実に阻止される。阻止されずにわずかにＵターン部２２が側辺１１側に移動するとしても、その移動は上部カバー３０および基材シート１０の移動を伴うので、Ｕターン部側の粘着積層部Ｗ１が破壊されることは起こらない。
【００１９】
図２の態様では、温水パイプ２０のＵターン部２２の外側面にほぼ沿うような形状とされた横長の板状部材４０Ａを前記阻止手段として用いている。板状部材４０Ａは好ましくは熱伝導性の良好な銅板やアルミ板のような金属板であり、平坦な脚部４１Ａと温水パイプ２０のパイプ面に沿う曲面形状である立ち上がり部４２Ａとからなる。板状部材４０Ａは平坦な脚部４１Ａを基材シート１０の上面に固定し、立ち上がり部４２Ａを温水パイプ２０のＵターン部２２の外側面に密接した状態で、基材シート１０と上部カバー３０との間に介装されている。
【００２０】
図３の態様では、上記横長の板状部材４０Ａと同様な板状部材４０Ｂが阻止手段として用いられている。ここでは、板状部材４０Ｂはその平坦な脚部４１Ｂを上部カバー３０の上面に位置させ、立ち上がり部４２Ｂを温水パイプ２０のＵターン部２２の外側面に密接した状態で、上部カバー３０の上からＵターン部２２を押さえるようにして、例えば粘着により固定されている。
【００２１】
いずれの場合も、横長の板状部材４０Ａあるいは４０Ｂは、図１に示す態様でのクリップ４０と同じ機能を果たすことができ、Ｕターン部２２が外側に向けて移動しようとしてもその移動は確実に阻止される。Ｕターン部２２が側辺１１側に移動するとしても、やはり、その移動は上部カバー３０および基材シート１０の移動を伴うので、Ｕターン部側の粘着積層部Ｗ１が破壊されることは起こらない。
【００２２】
図４の態様では、基材シート１０と上部カバー３０との４周囲を粘着積層することに加え、温水パイプ２０のＵターン部２２の外側に沿うようにして粘着剤を塗布して、基材シート１０と上部カバー３０との間にＵターン部２２に沿う形状の接合領域４０Ｃを形成し、それを前記阻止手段としている。この接合領域４０Ｃが存在することにより、対向して位置するＵターン部２２間に位置する上部カバー３０および基材シート１０の部分が、やはりＵターン部２２の外側に向けての移動に対する抵抗となることは容易に理解されよう。また、接合領域４０Ｃの存在により、Ｕターン部２２が外側に向けて移動する場合に、その移動が上部カバー３０および基材シート１０の移動を伴うことも、前記の態様の場合と同様である。
【図面の簡単な説明】
【００２３】
【図１】本発明による温水パイプユニットの一例を説明する図であり、図１ａはその一部を示す平面図、図１ｂは図１ａのＸ−Ｘ線に沿う断面図、図１ｃはそこで使用するクリップを示す図。
【図２】図２ａは本発明による温水パイプユニットの他の形態を説明するための部分図であり、図２ｂは図１のＸ−Ｘ線に沿う断面図。
【図３】図３ａは本発明による温水パイプユニットのさらに他の形態を説明するための部分図であり、図３ｂは図３ａのＸ−Ｘ線に沿う断面図。
【図４】本発明による温水パイプユニットのさらに他の形態を説明するための部分図。
【図５】従来の温水パイプユニットの一例を示す平面図。
【図６】図５でのＸ−Ｘ線での断面領域を分解して示す図。
【図７】図５での領域Ｓの部分を拡大して示す図。
【図８】温水パイブのＵターン部の伸張により温水パイプユニットが破壊した状態を説明する模式図。
【符号の説明】
【００２４】
１、１Ａ…温水パイプユニット、１０…基材シート、１１…温水パイプユニットのＵターン部に沿う両側部分、２０…温水パイプ、２１…直線状部、２２…Ｕターン部、３０…上部カバー、３１…パイプ収容溝、３２…パイプ収容溝の端部、Ｗ１…温水パイプのＵターン部に沿う両側部分での粘着積層部、４０…阻止手段としてのクリップ、４０Ａ，４０Ｂ…阻止手段としての横長の板状部材、４０Ｃ…阻止手段としての接合領域
【図１】
2005188890.tif 000003
【図２】
2005188890.tif 000004
【図３】
2005188890.tif 000005
【図４】
2005188890.tif 000006
【図５】
2005188890.tif 000007
【図６】
2005188890.tif 000008
【図７】
2005188890.tif 000009
【図８】
2005188890.tif 000010